(57)【特許請求の範囲】
【請求項１】
テレビ放送を受信可能なテレビチューナと、
ＥＰＧ（電子番組案内）情報を記憶する記憶部と、
制御部と、
表示部と、
操作部と、
を有し、
前記制御部は、
前記テレビチューナを制御して前記表示部に、前記操作部により選択されたチャンネルのテレビ放送を表示させるテレビアプリケーションを制御するテレビアプリケーション制御部と、
前記テレビアプリケーションによって前記表示部に表示された前記テレビ放送の番組ごとの視聴履歴と、当該番組に対応する前記ＥＰＧ情報とを関連付けて視聴履歴情報を作成し、前記記憶部に記憶させる視聴履歴情報作成部と、
前記視聴履歴情報作成部が作成した前記視聴履歴情報を基に、所定の条件だけ視聴されていた番組を視聴推奨番組として、視聴推奨番組情報を作成して前記記憶部に記憶させる視聴推奨番組情報作成部と、
前記テレビアプリケーション制御部が前記表示部に当該視聴推奨番組以外の番組を表示させていた場合に、前記視聴推奨番組作成部が作成した前記視聴推奨番組情報を基に、前記視聴推奨番組の放送開始時刻から所定の時間前に、番組を視聴推奨番組に変更させるか否かの選択インタフェースを有する視聴推奨番組開始通知を前記表示部に表示させる通知部と、
を更に有し、
前記操作部は、番組を視聴推奨番組に変更させるか否かの前記選択インタフェースのいずれかの選択操作を受け付け、
前記操作部の受け付けた選択操作が番組を変更させる操作である場合には、前記テレビアプリケーション制御部は、表示部の表示を前記視聴推奨番組にチャンネルを変更し、
前記選択操作が番組を変更させない操作である場合には、前記通知部は、当該選択インタフェースを有する前記視聴推奨番組開始通知から所定時間後に視聴推奨番組が放送中であることの通知を行い、
前記視聴履歴情報作成部が作成した前記視聴履歴情報を基に、前記視聴履歴に含まれる番組のうち、同一の時間帯に複数の番組の視聴履歴が存在する場合には、前記視聴推奨番組情報作成部は、視聴されている回数が最も多い番組を視聴推奨番組に決定し、当該決定した視聴推奨番組の放送開始時刻及び放送終了時刻を含む視聴推奨番組情報を作成し、
前記視聴履歴情報作成部は、前記番組ごとの視聴履歴に加えて、実際に視聴を開始した時刻を示す視聴開始時間情報をさらに含む前記視聴履歴情報を作成し、
前記視聴推奨番組情報作成部は、前記視聴履歴情報の前記視聴開始時間情報を基に、所定の番組に対して実際に視聴を開始した時刻を前記放送開始時刻の代わりに含む前記視聴推奨情報を作成し、
前記通知部は、前記所定の番組に対する前記視聴推奨番組開始通知を、前記実際に視聴を開始した時刻から所定の時間前に前記表示部に表示させる
情報通信装置。
【請求項２】
前記視聴履歴情報作成部は、同一の番組の複数回の視聴における実際に視聴を開始した時刻の平均を基に前記視聴開始時間情報を決定する
請求項１に記載の情報通信装置。
【請求項３】
前記視聴履歴情報作成部は、所定の番組ごとに、当該番組の放送時間に対して実際に当該番組を一番長く視聴した日の視聴時間の割合を示す視聴時間割合情報をさらに含む前記視聴履歴情報を作成し、
前記視聴推奨番組情報作成部は、前記視聴履歴情報の同一の時間帯に複数の番組の視聴履歴が存在する場合に、前記視聴時間割合情報を基に、実際に視聴した時間の割合が最も大きい番組を視聴推奨番組として前記視聴推奨番組情報を作成する
請求項１または２に記載の情報通信装置。
【請求項４】
前記視聴履歴情報作成部は、所定の番組ごとに、当該番組を実際に視聴した時間の合計時間を示す視聴時間合計情報をさらに含む前記視聴履歴情報を作成し、
前記視聴推奨番組情報作成部は、前記視聴履歴情報の同一の時間帯に複数の番組の視聴履歴が存在する場合に、前記視聴時間合計情報を基に、実際に視聴した時間の合計時間が最も長い番組を視聴推奨番組として前記視聴推奨番組情報を作成する
請求項１から３のいずれか一項に記載の情報通信装置。
【請求項５】
前記視聴履歴情報作成部が番組ごとの前記視聴履歴情報を作成する際の、前記視聴履歴情報に含まれる各情報を取得する際の条件は、前記操作部を介した操作により自由に編集が可能である
請求項１から４のいずれか一項に記載の情報通信装置。
【請求項６】
フィードバック部
を更に有し、
前記フィードバック部は、前記通信部が行った前記視聴推奨番組開始通知の前記選択インタフェースに対して、チャンネルを変更する操作がなされたか否かを示す操作情報を前記視聴推奨番組情報に加え、
前記通知部は、前記視聴推奨番組情報を基に、所定の番組の放送開始時刻から所定の時間前に、当該番組に対して変更させない操作が所定の回数以上なされたことを、前記視聴推奨番組情報に含まれる前記操作情報が示す場合には、前記所定の視聴推奨番組開始通知を前記表示部に表示させない
請求項１から５のいずれか一項に記載の情報通信装置。
【請求項７】
テレビアプリケーション制御部と、視聴履歴情報作成部と、視聴推奨番組情報作成部と、通知部と、を有する情報通信装置の情報通信方法であって、
前記視聴履歴情報作成部が、前記テレビアプリケーション制御部によって制御されたテレビアプリケーションによって表示部に表示されたテレビ放送の番組ごとの視聴履歴と、当該番組に対応するＥＰＧ情報とを関連付けて視聴履歴情報を作成する第１の工程と、
前記視聴推奨番組情報作成部が、前記第１の工程において作成された前記視聴履歴情報を基に、所定の条件だけ視聴されていた番組を視聴推奨番組として、視聴推奨番組情報を作成する第２の工程と、
前記通知部が、前記表示部に当該視聴推奨番組以外の番組が表示されていた場合に、前記第２の工程において作成された前記視聴推奨番組情報を基に、前記視聴推奨番組の放送開始時刻から所定の時間前に、番組を視聴推奨番組に変更させるか否かの選択インタフェースを有する視聴推奨番組開始通知を前記表示部に表示させる第３の工程と、
前記選択インタフェースのいずれかを選択する選択操作に応じて、当該選択操作が番組を変更させる操作である場合には、前記テレビアプリケーション制御部が、表示部の表示を前記視聴推奨番組にチャンネルを変更する第４の工程と、
前記選択操作が番組を変更させない操作である場合には、前記通知部が、当該選択インタフェースを有する前記視聴推奨番組開始通知から所定時間後に視聴推奨番組が放送中であることの通知を行う第５の工程と、
を有し、
前記第２の工程において、前記第１の工程で作成された前記視聴履歴情報を基に、前記視聴履歴に含まれる番組のうち、同一の時間帯に複数の番組の視聴履歴が存在する場合には、前記視聴推奨番組情報作成部が、視聴されている回数が最も多い番組を視聴推奨番組に決定し、当該決定した視聴推奨番組の放送開始時刻及び放送終了時刻を含む視聴推奨番組情報を作成し、
前記第１の工程において、前記視聴履歴情報作成部が、前記番組ごとの視聴履歴に加えて、実際に視聴を開始した時刻を示す視聴開始時間情報をさらに含む前記視聴履歴情報を作成し、
前記第２の工程において、前記視聴推奨番組情報作成部は、前記視聴履歴情報の前記視聴開始時間情報を基に、所定の番組に対して実際に視聴を開始した時刻を前記放送開始時刻の代わりに含む前記視聴推奨情報を作成し、
前記第３の工程において、前記通知部は、前記所定の番組に対する前記視聴推奨番組開始通知を、前記実際に視聴を開始した時刻から所定の時間前に前記表示部に表示させる
情報通信方法。
【請求項８】
テレビチューナを有し、選択されたチャンネルのテレビ放送を受信可能な情報通信装置の有するコンピュータに実行させるプログラムであって、
前記テレビアプリケーション制御部によって制御されたテレビアプリケーションによって表示部に表示されたテレビ放送の番組ごとの視聴履歴と、当該番組に対応するＥＰＧ情報とを関連付けて視聴履歴情報を作成する第１の手順と、
前記第１の手順において作成された前記視聴履歴情報を基に、所定の条件だけ視聴されていた番組を視聴推奨番組として、視聴推奨番組情報を作成する第２の手順と、
前記表示部に当該視聴推奨番組以外の番組が表示されていた場合に、前記第２の手順において作成された前記視聴推奨番組情報を基に、前記視聴推奨番組の放送開始時刻から所定の時間前に、番組を視聴推奨番組に変更させるか否かの選択インタフェースを有する視聴推奨番組開始通知を前記表示部に表示させる第３の手順と、
前記選択インタフェースのいずれかを選択する選択操作に応じて、当該選択操作が番組を変更させる操作である場合には、表示部の表示を前記視聴推奨番組にチャンネルを変更する第４の手順と、
前記選択操作が番組を変更させない操作である場合には、当該選択インタフェースを有する前記視聴推奨番組開始通知から所定時間後に視聴推奨番組が放送中であることの通知を行う第５の手順と、
を前記コンピュータに実行させるプログラムであって、
前記第２の手順は、前記第１の手順で作成された前記視聴履歴情報を基に、前記視聴履歴に含まれる番組のうち、同一の時間帯に複数の番組の視聴履歴が存在する場合には、視聴されている回数が最も多い番組を視聴推奨番組に決定し、当該決定した視聴推奨番組の放送開始時刻及び放送終了時刻を含む視聴推奨番組情報を作成する第６の手順をさらに有し、
前記第１の手順は、前記番組ごとの視聴履歴に加えて、実際に視聴を開始した時刻を示す視聴開始時間情報をさらに含む前記視聴履歴情報を作成する第７の手順をさらに有し、
前記第２の手順は、前記視聴履歴情報の前記視聴開始時間情報を基に、所定の番組に対して実際に視聴を開始した時刻を前記放送開始時刻の代わりに含む前記視聴推奨情報を作成する第８の手順をさらに有し、
前記第３の手順は、前記所定の番組に対する前記視聴推奨番組開始通知を、前記実際に視聴を開始した時刻から所定の時間前に前記表示部に表示させる第９の手順をさらに有する
プログラム。
【発明の詳細な説明】
【技術分野】
【０００１】
本発明は、番組及びチャンネルの選択を支援・自動化する情報通信装置、情報通信方法及びプログラムに関する。
【背景技術】
【０００２】
各種メディアの統合により、パーソナルコンピュータなどの情報通信装置上においてＴＶ放送の視聴を行うことが一般化してきている。この種の情報通信装置でのＴＶ視聴は、ＴＶ放送受信チューナを内蔵しておき、これを情報通信装置で実行される視聴用のＴＶアプリケーション（ソフトウェア）で制御して、情報通信装置の表示画面に表示するものとなっている。またこのようなＴＶアプリケーションでは、ＴＶ放送を表示する画面サイズの制御やインターネットを利用した番組配信などとの組み合わせ等が可能である。
デジタルテレビ放送の開始等によって多チャンネル化が著しく、視聴者は見たい番組を全て視聴することが難しくなってきているために、上述した情報通信装置上で、視聴者がいつでも自らの習慣や嗜好に合った番組を見ることができるようにＴＶアプリケーションが通知を行う技術が、例えば特許文献１に開示されている。
【０００３】
特許文献１には、視聴者が過去に見た番組を嗜好データベースに記録し、それを基に視聴者が見たいと思うであろう番組のＥＰＧ（Electronic Program Guide）情報を入手して、その番組の始まることを番組開始数分前に視聴者に知らせる技術が開示されている。
【０００４】
また、特許文献２には、視聴履歴データとしてＥＰＧ情報の中から番組名を取得し、視聴開始時刻及び視聴終了時刻と共に記録し、視聴者が現在視聴している番組名が現在時刻を含む時間帯において視聴履歴データにある過去の番組名と一致しない場合に警告通知するテレビジョン受像機が開示されている。
【特許文献１】特開２００５−２０２９４６号公報
【特許文献２】特開２００５−３９６８１号公報
【発明の開示】
【発明が解決しようとする課題】
【０００５】
しかし、特許文献１に開示された技術では、視聴者に番組開始の通知を行う対象となる番組は、過去の視聴履歴の番組名中のキーワードと合致する番組か、過去の視聴履歴に多いジャンルの番組か、でしかなく、視聴者の多様な視聴要求に十分応えることができない、という不利益がある。
【０００６】
また、特許文献２に開示された技術では、特に毎回見たいわけでもなくたまたま視聴した番組でも、その番組の次回分が放送される時間帯には警告通知が行われるので、特に見たい番組でもないのに警告通知が行われて煩わしい、という不利益がある。
【０００７】
本発明は、上述した不利益を解消するために、視聴者の多様な視聴要求に十分応えることができ、煩わしくない程度の通知を行う情報通信装置、情報通信方法及びプログラムを提供することを目的とする。
【課題を解決するための手段】
【０００８】
上述した不利益を解消するために、本発明の情報通信装置は、  テレビ放送を受信可能なテレビチューナと、
ＥＰＧ（電子番組案内）情報を記憶する記憶部と、
制御部と、
表示部と、
操作部と、
を有し、
前記制御部は、
前記テレビチューナを制御して前記表示部に、前記操作部により選択されたチャンネルのテレビ放送を表示させるテレビアプリケーションを制御するテレビアプリケーション制御部と、前記テレビアプリケーションによって前記表示部に表示された前記テレビ放送の番組ごとの視聴履歴と、当該番組に対応する前記ＥＰＧ情報とを関連付けて視聴履歴情報を作成し、前記記憶部に記憶させる視聴履歴情報作成部と、前記視聴履歴情報作成部が作成した前記視聴履歴情報を基に、所定の条件だけ視聴されていた番組を視聴推奨番組として、視聴推奨番組情報を作成して前記記憶部に記憶させる視聴推奨番組情報作成部と、前記テレビアプリケーション制御部が前記表示部に当該視聴推奨番組以外の番組を表示させていた場合に、前記視聴推奨番組作成部が作成した前記視聴推奨番組情報を基に、前記視聴推奨番組の放送開始時刻から所定の時間前に、番組を視聴推奨番組に変更させるか否かの選択インタフェースを有する視聴推奨番組開始通知を前記表示部に表示させる通知部と、を更に有し、前記操作部は、番組を視聴推奨番組に変更させるか否かの前記選択インタフェースのいずれかの選択操作を受け付け、前記操作部の受け付けた選択操作が番組を変更させる操作である場合には、前記テレビアプリケーション制御部は、表示部の表示を前記視聴推奨番組にチャンネルを変更し、前記選択操作が番組を変更させない操作である場合には、前記通知部は、当該選択インタフェースを有する前記視聴推奨番組開始通知から所定時間後に視聴推奨番組が放送中であることの通知を行い、前記視聴履歴情報作成部が作成した前記視聴履歴情報を基に、前記視聴履歴に含まれる番組のうち、同一の時間帯に複数の番組の視聴履歴が存在する場合には、前記視聴推奨番組情報作成部は、視聴されている回数が最も多い番組を視聴推奨番組に決定し、当該決定した視聴推奨番組の放送開始時刻及び放送終了時刻を含む視聴推奨番組情報を作成し、前記視聴履歴情報作成部は、前記番組ごとの視聴履歴に加えて、実際に視聴を開始した時刻を示す視聴開始時間情報をさらに含む前記視聴履歴情報を作成し、前記視聴推奨番組情報作成部は、前記視聴履歴情報の前記視聴開始時間情報を基に、所定の番組に対して実際に視聴を開始した時刻を前記放送開始時刻の代わりに含む前記視聴推奨情報を作成し、前記通知部は、前記所定の番組に対する前記視聴推奨番組開始通知を、前記実際に視聴を開始した時刻から所定の時間前に前記表示部に表示させる。
【０００９】
本発明の情報処理方法は、テレビアプリケーション制御部と、視聴履歴情報作成部と、視聴推奨番組情報作成部と、通知部と、を有する情報通信装置の情報通信方法であって、前記視聴履歴情報作成部が、前記テレビアプリケーション制御部によって制御されたテレビアプリケーションによって表示部に表示されたテレビ放送の番組ごとの視聴履歴と、当該番組に対応するＥＰＧ情報とを関連付けて視聴履歴情報を作成する第１の工程と、前記視聴推奨番組情報作成部が、前記第１の工程において作成された前記視聴履歴情報を基に、所定の条件だけ視聴されていた番組を視聴推奨番組として、視聴推奨番組情報を作成する第２の工程と、前記通知部が、前記表示部に当該視聴推奨番組以外の番組が表示されていた場合に、前記第２の工程において作成された前記視聴推奨番組情報を基に、前記視聴推奨番組の放送開始時刻から所定の時間前に、番組を視聴推奨番組に変更させるか否かの選択インタフェースを有する視聴推奨番組開始通知を前記表示部に表示させる第３の工程と、前記選択インタフェースのいずれかを選択する選択操作に応じて、当該選択操作が番組を変更させる操作である場合には、前記テレビアプリケーション制御部が、表示部の表示を前記視聴推奨番組にチャンネルを変更する第４の工程と、前記選択操作が番組を変更させない操作である場合には、前記通知部が、当該選択インタフェースを有する前記視聴推奨番組開始通知から所定時間後に視聴推奨番組が放送中であることの通知を行う第５の工程と、を有し、前記第２の工程において、前記第１の工程で作成された前記視聴履歴情報を基に、前記視聴履歴に含まれる番組のうち、同一の時間帯に複数の番組の視聴履歴が存在する場合には、前記視聴推奨番組情報作成部が、視聴されている回数が最も多い番組を視聴推奨番組に決定し、当該決定した視聴推奨番組の放送開始時刻及び放送終了時刻を含む視聴推奨番組情報を作成し、前記第１の工程において、前記視聴履歴情報作成部が、前記番組ごとの視聴履歴に加えて、実際に視聴を開始した時刻を示す視聴開始時間情報をさらに含む前記視聴履歴情報を作成し、前記第２の工程において、前記視聴推奨番組情報作成部は、前記視聴履歴情報の前記視聴開始時間情報を基に、所定の番組に対して実際に視聴を開始した時刻を前記放送開始時刻の代わりに含む前記視聴推奨情報を作成し、前記第３の工程において、前記通知部は、前記所定の番組に対する前記視聴推奨番組開始通知を、前記実際に視聴を開始した時刻から所定の時間前に前記表示部に表示させる。
【００１０】
本発明のプログラムは、テレビチューナを有し、選択されたチャンネルのテレビ放送を受信可能な情報通信装置の有するコンピュータに実行させるプログラムであって、前記テレビアプリケーション制御部によって制御されたテレビアプリケーションによって表示部に表示されたテレビ放送の番組ごとの視聴履歴と、当該番組に対応するＥＰＧ情報とを関連付けて視聴履歴情報を作成する第１の手順と、前記第１の手順において作成された前記視聴履歴情報を基に、所定の条件だけ視聴されていた番組を視聴推奨番組として、視聴推奨番組情報を作成する第２の手順と、前記表示部に当該視聴推奨番組以外の番組が表示されていた場合に、前記第２の手順において作成された前記視聴推奨番組情報を基に、前記視聴推奨番組の放送開始時刻から所定の時間前に、番組を視聴推奨番組に変更させるか否かの選択インタフェースを有する視聴推奨番組開始通知を前記表示部に表示させる第３の手順と、前記選択インタフェースのいずれかを選択する選択操作に応じて、当該選択操作が番組を変更させる操作である場合には、表示部の表示を前記視聴推奨番組にチャンネルを変更する第４の手順と、前記選択操作が番組を変更させない操作である場合には、当該選択インタフェースを有する前記視聴推奨番組開始通知から所定時間後に視聴推奨番組が放送中であることの通知を行う第５の手順と、を前記コンピュータに実行させるプログラムであって、前記第２の手順は、前記第１の手順で作成された前記視聴履歴情報を基に、前記視聴履歴に含まれる番組のうち、同一の時間帯に複数の番組の視聴履歴が存在する場合には、視聴されている回数が最も多い番組を視聴推奨番組に決定し、当該決定した視聴推奨番組の放送開始時刻及び放送終了時刻を含む視聴推奨番組情報を作成する第６の手順をさらに有し、前記第１の手順は、前記番組ごとの視聴履歴に加えて、実際に視聴を開始した時刻を示す視聴開始時間情報をさらに含む前記視聴履歴情報を作成する第７の手順をさらに有し、前記第２の手順は、前記視聴履歴情報の前記視聴開始時間情報を基に、所定の番組に対して実際に視聴を開始した時刻を前記放送開始時刻の代わりに含む前記視聴推奨情報を作成する第８の手順をさらに有し、前記第３の手順は、前記所定の番組に対する前記視聴推奨番組開始通知を、前記実際に視聴を開始した時刻から所定の時間前に前記表示部に表示させる第９の手順をさらに有する。
【発明の効果】
【００１１】
本発明によれば、視聴者が視聴した番組の履歴情報を基に視聴推奨番組情報を作成し、視聴推奨番組の放送前には視聴推奨番組がまもなく始まる旨を視聴者に通知する情報通信装置、情報通信方法及びプログラムを提供することができる。
【発明を実施するための最良の形態】
【００１２】
＜第１実施形態＞
以下、本発明の第１実施形態の放送受信システム１００について説明する。
図１は、放送受信システム１００の構成を示すブロック図である。
図１に示すように、放送受信システム１００は、ＣＰＵ１、ＨＤＤ２、メモリ３、ＴＶチューナ４、通信部５、表示部６、操作部７、音声入出力部８がバス９を介して接続された情報通信装置１０と、デジタルテレビ放送網２０、インターネット通信網３０からなる。
【００１３】
ＣＰＵ（Central Processing Unit）１は、情報通信装置１０の全体的な動作制御を行う。
ＨＤＤ（Hard Disk Drive）２は、情報通信装置１０の動作時に必要な各種データ、プログラム等を記憶する。
【００１４】
メモリ３は、情報通信装置１０の動作時の各種データを一時的に記憶する。
ＴＶチューナ４は、デジタルテレビ放送網２０と接続し、デジタルテレビ放送を受信し選局・同調を行う受信機である。本実施形態ではＴＶチューナ４はデジタルテレビ放送の受信機であるとするが、アナログ放送も受信できるチューナであってもよい。
また、ＴＶチューナ４はデジタルテレビ放送網２０を介して、テレビ放送波に含まれるＥＰＧ（Electronic Program Guide：電子番組案内）情報を獲得する。
【００１５】
通信部５は、インターネット通信網３０と接続され、インターネットによる情報通信を行う。特に、本実施形態では、ＥＰＧ情報を獲得するために使用される。
表示部６は、液晶ディスプレイ、有機ＥＬ（Electro-Luminescence）ディスプレイ、ＣＲＴ（Cathode Ray Tube）ディスプレイ等の表示装置であり、情報通信装置１０の各種表示を行う。
【００１６】
操作部７は、マウス等のポインティングデバイスやキーボード等の入力装置であり、情報通信装置１０の各種入力を行う。
音声入出力部８は、マイク等の音声入力装置及びスピーカやヘッドフォン等の音声出力装置であり、情報通信装置１０の外部との音声のやり取りを行う。
【００１７】
また、図１に示すように、ＣＰＵ１は更にＴＶアプリケーション制御部１１、視聴履歴情報作成部１２、視聴推奨番組情報作成部１３、通知部１４を更に有する。
ＴＶアプリケーション制御部１１は、ＴＶアプリケーションの動作を制御する。ＴＶアプリケーションとは、ＴＶチューナ４が受信したデジタルテレビ放送を表示部６に表示させ、音声入出力部８から音声を出力させるように情報通信装置１０のＯＳ（Operation System）上で動作するソフトウェアである。ＴＶアプリケーションは基本的に情報通信装置１０のＯＳ上に常駐しており、例えば待機状態と表示状態の２種類の状態を有する。待機状態では、ＴＶアプリケーションは表示部６に表示されず、音声入出力部８からの音声出力もなされない。表示状態では、表示部６にＴＶアプリケーションが表示され（すなわちデジタルテレビ放送が表示され）、その音声も音声入出力部８から出力される。
【００１８】
視聴履歴情報作成部１２は、ＴＶアプリケーションによって視聴された全ての番組のＥＰＧ情報を含む各種データを、ＴＶチューナ４や通信部５を介して入手し、ＨＤＤ２の視聴履歴データベースに蓄積させ、視聴履歴データを作成する。視聴履歴データの作成方法については後に詳述する。
視聴推奨番組情報作成部１３は、視聴履歴情報作成部１２が作成した視聴履歴データを基に、視聴推奨番組データを作成する。視聴推奨番組データの作成方法については後に詳述する。
通知部１４は、視聴推奨番組情報作成部１３が作成した視聴推奨番組データを基に、視聴推奨番組の所定時間前（例えば１分前）に通知を行う。通知の方法は、表示部６に所定の画面を表示させる他に、音声入出力部８から音声による通知を行う、等の方法があるが、本発明では限定しない。
【００１９】
次に、放送受信システム１００の動作例について図２のフローチャートと関連付けて説明する。
図２は、放送受信システム１００の動作例を示すフローチャートである。
【００２０】
ステップＳＴ１:
ＴＶアプリケーション制御部１１は、ＴＶアプリケーションの状態のチェックを行い、ＴＶアプリケーションが表示状態であった場合はステップＳＴ２へ進み、待機状態であった場合は本ステップＳＴ１を繰り返す。
ＴＶアプリケーションの状態のチェックは、例えば、ＴＶアプリケーション制御部１１が、所定の時間毎にＴＶアプリケーションの状態をチェックしても良いし、情報通信装置１０のＯＳ上で常駐するＴＶアプリケーションの状態を常に監視していてもよく、本実施形態ではチェックの方法を限定しない。
【００２１】
ステップＳＴ２：
視聴履歴情報作成部１２は、現在ＴＶアプリケーションが表示部６に表示している（視聴されている）番組の各種データを取得し視聴履歴データとしてＨＤＤ２に記憶させる。
番組の各種データについて、図３と関連付けて説明する。
図３は、番組データの例を示した図である。
図３に示すように、本実施形態の放送受信システム１００が扱う番組データは、管理番号情報、コンテンツＩＤ情報、シリーズＩＤ情報、日付情報、曜日情報、チャンネル情報、番組名情報、番組ジャンル情報、番組放送開始時間情報、番組放送終了時間情報、視聴開始時間情報、視聴終了時間情報、視聴時間合計情報、視聴時間割合情報、視聴回数情報等がある。
【００２２】
管理番号情報は、視聴履歴を管理するためにＴＶアプリケーションが付与する番号であり、例えば視聴履歴の１番目のデータから順にナンバリングする、等の方法で付与する。管理番号の付与方法は本発明では限定しない。
コンテンツＩＤ情報は、デジタルテレビ放送の各番組に付与された番組ごとのＩＤである。
シリーズＩＤ情報は、デジタルテレビ放送の連続番組毎に付与されたシリーズごとのＩＤである。
日付情報は、その番組が放送された日付の情報であり、例えばｙｙ（年）／ｍｍ（月）／ｄｄ（日）といった形式で表される。
【００２３】
曜日情報は、その番組が放送された曜日である。
チャンネル情報は、その番組を放送したチャンネルであり、３桁のチャンネル番号によって表される。
番組名情報は、ＥＰＧ（Electronic Program Guide：電子番組案内）上の番組タイトル情報である。
番組ジャンル情報は、ＥＰＧ上の番組ジャンル情報である。
番組放送開始時間情報は、ＥＰＧ上の番組開始時間情報であり、ｈｈ（時間）：ｍｍ（分）：ｓｓ（秒）といった形式で表される。
番組放送終了時間情報は、ＥＰＧ上の番組終了時間情報であり、ｈｈ：ｍｍ：ｓｓといった形式で表される。
【００２４】
視聴開始時間情報は、実際に視聴が開始された時間の情報であり、ｈｈ：ｍｍ：ｓｓといった形式で表される。この情報については、同一の番組毎の視聴開始時間の履歴を基に平均を取り、これを視聴開始時間情報とすることもできる。これにより、すなわち、毎週ある番組の特定のコーナーのみが視聴される場合に、当該特定のコーナーが始まる平均時間の情報を視聴開始時間情報として蓄積することができる。
視聴終了時間情報は、実際に視聴が終了された時間の情報であり、ｈｈ：ｍｍ：ｓｓといった形式で表される。視聴終了時間情報も視聴開始時間情報と同様に、平均をとった情報を蓄積することもできる。
視聴時間合計情報は、実際に視聴した時間の合計（１回の放送あたりの視聴合計時間）であり、ｈｈ：ｍｍ：ｓｓといった形式で表される。例えば、ある番組の視聴中に他の番組を短時間だけ視聴し、後に元の番組に戻って視聴を続けた場合には、他の番組の視聴時間を除いて、元の番組の視聴時間のみを合計する。視聴時間合計情報も視聴開始時間情報と同様に、平均をとった情報を蓄積することもできる。
【００２５】
視聴時間割合情報は、ある番組の１日あたりの放送時間（すなわち上記番組放送終了時間情報−上記番組放送開始時間情報）に対する、その番組を一番長く視聴した日の視聴時間（すなわち、上記視聴時間合計情報の最大値）の割合をパーセンテージで表した情報である。
視聴回数情報は、例えばその番組の直近６週間における視聴回数情報である。ここで６週間というのは一例であり、これ以外の値でも良い。本実施形態ではこの値を限定しない。
【００２６】
視聴履歴情報作成部１２は、現在視聴している番組の上述した各種番組データを、ＨＤＤ２内の視聴履歴データベースに記憶させる。ここで、全ての番組データを記憶させ続けても良いし、例えば視聴者の操作により任意の番組データを消去できるようにしてもよいし、所定の期間が経過した番組データを自動的に消去するようにしてもよい。
【００２７】
ステップＳＴ３：
視聴推奨番組情報作成部１３は、ステップＳＴ２において視聴履歴データベースに記憶された各種番組データを基に、視聴推奨番組データを作成する。
視聴推奨番組データの作成方法について以下説明する。
上述した視聴履歴データから、視聴頻度（視聴回数情報）の高い番組を選出し、視聴推奨番組を決定し、曜日及び時間毎に視聴推奨番組を管理するタイムテーブルを作成し、これを視聴推奨番組データとしてＨＤＤ２に記憶させる。
図４は、視聴推奨番組情報作成部１３が作成するタイムテーブルの一例を示す図である。
【００２８】
すなわち、例えばある番組に対して、その番組の視聴履歴データの内の視聴回数情報が所定の数（例えば３回、本実施形態では限定しない）以上であれば、視聴推奨番組情報作成部１３はその番組を視聴推奨番組としてタイムテーブル（視聴推奨番組データ）に加える。
また、番組単位で視聴推奨番組を決定する以外にも、例えば、視聴時間割合情報が常に所定の割合（例えば５０％、本実施形態では限定しない）以下で、番組放送開始時間情報と視聴開始時間情報とが異なる番組かつ視聴回数情報が上記所定の数以上である番組が存在する場合には、その番組の視聴開始時間情報に合わせてタイムテーブルに加えることもできる。
すなわち、具体的には、番組放送開始時間情報が２０時であり、番組放送終了時間情報が２１時であり、視聴開始時間情報が２０時３０分であり、視聴終了時間情報が２０時４５分である番組があったとすると、視聴推奨番組情報作成部１３はこの番組の視聴回数情報が所定の数を超えていた場合には、この番組を２０時３０分から開始するものとして視聴推奨番組データに加えることができる。
【００２９】
更に、同一の時間帯に所定の数以上の視聴回数情報を有する複数の番組放送時間が重なっている場合には、例えば次のような優先順位により視聴推奨番組をいずれか１つに決定する。
１．視聴履歴データの「視聴回数情報」が多い
２．視聴履歴データの「視聴時間割合情報」が高い
３．視聴履歴データの「視聴時間合計情報」が長い
４．放送日時（視聴日時）が新しい（すなわち「日付情報」が最近）
【００３０】
視聴推奨番組情報作成部１３は、以上のように視聴推奨番組を決定し、曜日及び時間毎に視聴推奨番組を管理するタイムテーブルを作成し、これを視聴推奨番組データとしてＨＤＤ２に記憶させる。
図４は、視聴推奨番組情報作成部１３が作成する視聴推奨番組データの一例を示す図である。
なお、本実施形態では一例として視聴推奨番組データがタイムテーブルの形式をしている場合について説明したが、本発明はこれに限定されず、視聴推奨番組データはどのような形式をしていてもよい。
【００３１】
ステップＳＴ４：
ＴＶアプリケーション制御部１１は、ステップＳＴ３において視聴推奨番組情報作成部１３が作成した視聴推奨番組データを基に、視聴推奨番組データ内のいずれかの視聴推奨番組の開始より所定の時間（例えば１分、この値は本実施形態では限定しない）前になったか否かの判断を行い、所定の時間前になった場合はステップＳＴ５に進み、なっていない場合はステップＳＴ２に戻る。
ステップＳＴ５：
通知部１４は、現在表示部６に視聴推奨番組が表示されていない場合は、視聴推奨番組の開始が所定の時間後に迫ったことを表示部６上で通知する。
図５（ａ）は、通知部１４が表示部６に表示させる通知の一例である。図５（ａ）に示す４１、４２は視聴者が操作部７によって選択することができるボタン（インタフェース）である。
なお、通知部１４が行う通知は、表示部６のごく一部に表示されればよく、すなわち表示部６上にＴＶ放送と同時に通知を表示させるようにすれば良い。
この他にも、通知部１４は、例えば音声入出力部８に「まもなくいつもの番組が始まります」等の音声による通知を行わせてもよい。
【００３２】
ステップＳＴ６：
図５（ａ）に示す表示において、４１の「はい」ボタンが選択された場合は、ＴＶアプリケーション制御部１１が視聴推奨番組にチャンネルを切り替えてステップＳＴ２に戻り、４２の「いいえ」ボタンが選択された場合は、ＴＶアプリケーション制御部１１は何もせずにステップＳＴ７に進む。
【００３３】
ステップＳＴ７：
通知部１４は、図５（ａ）の「いいえ」ボタン４２が選択された場合、所定の時間（例えば３０秒後、本実施形態では限定しない）後に通知の表示を表示部６から消去させる。
ステップＳＴ８：
通知部１４は、前回の通知から所定の時間後（例えば５分後、本実施形態では限定しない）後に図５（ｂ）に示すような、現在の視聴推奨番組が放送中であることの通知を行う。
【００３４】
ステップＳＴ９：
図５（ｂ）に示す表示において、４３の「はい」ボタンが選択された場合は、ＴＶアプリケーション制御部１１が視聴推奨番組にチャンネルを切り替えてステップＳＴ２に戻り、４４の「いいえ」ボタンが選択された場合は、ＴＶアプリケーション制御部１１は所定の時間（例えば３０秒後、本実施形態では限定しない）後に通知の表示を表示部６から消去させ、ステップＳＴ８に戻る。
【００３５】
以上説明したように、本第１実施形態の放送受信システム１００によれば、視聴履歴情報作成部１２が、視聴者が視聴した番組の履歴情報を作成し、これを基に視聴推奨番組情報作成部１３が視聴者のいつも見ている番組をピックアップした視聴推奨番組情報を作成し、視聴推奨番組の放送前には通知部１４がいつも見ている番組がまもなく始まる旨を視聴者に通知するので、煩わしい設定等を行う必要なしに、視聴者はいつも視聴している番組の開始を知ることができ、ＴＶアプリケーションを有する情報通信装置１０の使い勝手が向上する。
また、第１実施形態の放送受信システム１００によれば、視聴推奨番組情報作成部１３は、番組単位以外でも視聴者の実際の視聴開始時間情報に合わせて視聴を推奨するように視聴推奨番組データを作成することもできるので、例えばある番組の１コーナーのみを毎回見ているような場合にも対応することができ、視聴者の細かなニーズに応えることができる。
また、第１実施形態の放送受信システム１００によれば、所定の回数以上視聴した番組で無ければ視聴推奨番組とされず通知が行われないので、特に毎回見たくもない番組に対して通知が行われ煩わしい、ということがない。
【００３６】
なお、第１実施形態では情報通信装置１０が常に起動した状態である場合について説明しているが、例えば、視聴推奨番組の放送時間中に情報通信装置１０を立ち上げた場合かつチャンネルが視聴推奨番組に合っていない場合には、図５（ｃ）に示すような通知を通知部１４が行ってもよい。また図５（ｃ）に示す通知は、所定の時間（例えば５秒、本実施形態では限定しない）経過後に消去するようにしてもよい。
【００３７】
更に、第１実施形態では情報通信装置１０の起動中にはＴＶアプリケーションがＯＳ上に常駐する場合について説明したが、本発明はこれには限定されない。すなわち、視聴者の操作部７を介した操作によりＴＶアプリケーションを任意に起動したり終了したりできるようにしてもよい。この場合、ＴＶアプリケーションの起動時に視聴推奨番組の放送時間中かつチャンネルが視聴推奨番組に合っていない場合には、図５（ｃ）に示すような通知を行ってもよい。
【００３８】
＜第２実施形態＞
以下、本発明の第２実施形態の放送受信システム１００ａについて説明する。
第２実施形態の放送受信システム１００ａは、視聴推奨番組データ作成時の各種条件をパラメータ化し、変更可能にする点を除いて、第１実施形態の放送受信システム１００と同様である。
第２実施形態の放送受信システム１００ａの構成を、図１に示す。
【００３９】
図１に示すように、第２実施形態の放送受信システム１００ａは、第１実施形態の情報通信装置１０のＣＰＵ１の視聴履歴情報作成部１２、視聴推奨番組情報作成部１３、通知部１４の代わりに、情報通信装置１０ａのＣＰＵ１ａの視聴履歴情報作成部１２ａ、視聴推奨番組情報作成部１３ａ、通知部１４ａを有することを除いて、第１実施形態の放送受信システム１００と同様の構成を有する。
以下、各構成について説明する。
【００４０】
視聴履歴情報作成部１２ａは、第１実施形態の視聴履歴情報作成部１２と同様に、視聴履歴データベースに蓄積する番組データを取得するが、その際により良く視聴者の視聴傾向を視聴履歴データから抽出できるように、各番組データの条件設定についてパラメータ化を行う。
具体的には、以下の通りである。
・視聴回数情報を算出する際に、視聴時間割合情報がα（パラメータ１：例えば０）％以上の視聴に関してのみ視聴回数情報としてカウントする（視聴時間割合情報がα％未満の視聴は切り捨てる）。
・視聴履歴情報作成部１２ａは、１回の視聴が終わり視聴履歴データベースにその視聴に対する番組データを記憶させる際に、その視聴の視聴時間合計情報がβ（パラメータ２：例えば４）分以下かつ視聴時間割合情報がγ（パラメータ３：例えば５０）％以下の場合にはその視聴に対する番組データを視聴履歴として残さない（視聴履歴データベースに記憶させない）。
・視聴回数情報をカウントする際に、最近のδ（パラメータ４：例えば６週間）の間に視聴した回数を視聴回数情報としてカウントする。
【００４１】
また、視聴推奨番組情報作成部１３ａは、第１実施形態の視聴推奨番組情報作成部１３と同様に、視聴履歴データを基に視聴頻度の高い番組を選出し、視聴推奨番組を決定するが、その際にε（パラメータ５：例えば３）回以上視聴した番組を視聴頻度の高い番組として視聴推奨番組に加える。
更に、視聴推奨番組情報作成部１３ａは、同一の時間帯に所定の数以上の視聴頻度データを有する複数の番組放送時間が重なっている場合に所定の優先順位により視聴推奨番組をいずれか１つに決定する際に、当該優先順位をパラメータ６として設定可能にする。すなわち、視聴履歴データの「視聴回数情報」が多い順、視聴履歴データの「視聴時間割合情報」が高い順、視聴履歴データの「視聴時間合計情報」が長い順、放送日時（視聴日時）が新しい順、の４つの条件の内いずれの条件を優先させるかの順位を設定可能にする。
【００４２】
また、通知部１４ａは、第１実施形態の通知部１４と同様に、視聴推奨番組の開始がζ（パラメータ７：例えば１分）後に迫った際には、図５（ａ）に示すような通知を行うが、通知を行った後「いいえ」ボタン４２が選択されてからη（パラメータ８：例えば３０）秒後に通知を消去する。更に、視聴推奨番組の放送時間中に他の番組にチャンネルが合っている場合に、前回の通知からθ（パラメータ９：例えば５）分後に図５（ｂ）に示すような通知（視聴推奨番組放送中の通知）を行う。
情報通信装置１０ａやＴＶアプリケーションの起動時に、視聴推奨番組の放送時間中であってチャンネルが視聴推奨番組に合っていない場合には、通知部１４ａは図５（ｃ）に示すような通知を行い、表示からι（パラメータ１０：例えば５）秒後に通知を消去する。
【００４３】
上述したパラメータ１〜１０は、操作部７を介した視聴者の操作により自由に変更を行うことができる。また、情報通信装置１０ａの設計者が設計時に予め設定しておくこともできる。
【００４４】
以上説明したように、本第２実施形態の放送受信システム１００ａによれば、視聴推奨番組を決定する際の様々な条件を細かく自由に視聴者が設定できるので、視聴者の多様なニーズに応えることができ、また個々の視聴者固有の嗜好にあわせた視聴推奨を行うことができるので、使い勝手・使い心地が向上する。
【００４５】
＜第３実施形態＞
以下、本発明の第３実施形態の放送受信システム１００ｂについて説明する。
第３実施形態の放送受信システム１００ｂは、視聴推奨通知に対する視聴者からの反応を蓄積し、これをフィードバック情報として視聴推奨番組データに還元することを除いて、第１実施形態の放送受信システム１００と同様である。
第３実施形態の放送受信システム１００ｂの構成を、図６に示す。
図６は、第３実施形態の放送受信システム１００ｂの構成を示したブロック図である。
【００４６】
図６に示すように、放送受信システム１００ｂは、情報通信装置１０ｂのＣＰＵ１ｂの通知部１４ｂと、ＣＰＵ１ｂにフィードバック部１５が加わったことを除いて、第１実施形態の放送受信システム１００と同様の構成を有する。
フィードバック部１５は、通知部１４ｂが視聴者に対して図５（ａ）〜（ｂ）に示すような視聴推奨番組の通知を行った際のユーザの反応、すなわち「はい」ボタンが選択されたか、「いいえ」ボタンが選択されたかの情報を、視聴推奨番組データに加える。
すなわち、フィードバック部１５は、ＨＤＤ２に記憶された視聴推奨データ内の視聴推奨番組毎に、通知を行った際の視聴者の操作（「はい」か「いいえ」か）の情報を加えて記憶させる。そして、視聴者の操作情報が加えられた視聴推奨番組がその次に放送される時刻が近づいてきた場合に、通知部１４ｂは視聴推奨番組データを参照し、所定の回数（例えば３回、本実施形態では限定しない）以上「いいえ」が過去に選択されていた番組であったならば、図５（ａ）に示すような視聴推奨番組開始の通知を行わない。
【００４７】
以上説明したように、第３実施形態の放送受信システム１００ｂによれば、視聴者の習慣に基づいて作成された視聴推奨番組データに、視聴者の選択操作による視聴の意思のあるなしをフィードバックすることによって、煩雑な操作を排除しつつ視聴推奨番組データの有用性を継続的に向上させることができ、使い勝手が向上する。
【００４８】
なお、本第３実施形態において、通知部１４ｂは所定の回数以上「いいえ」が過去に選択されていた番組に対して通知を行わないとしたが、当該所定の回数を、例えば第２実施形態で説明したようにパラメータκ（パラメータ１１：例えば３回）として視聴者が任意に設定できるようにすることも可能である。
【００４９】
＜第４実施形態＞
以下、本発明の第４実施形態の放送受信システム１００ｃについて説明する。
第４実施形態の放送受信システム１００ｃは、同一時間帯に視聴回数が所定数以上である番組が複数ある場合は、その全てを視聴推奨番組とし、優先順位情報を付加して記憶し通知を行う、ということを除いて、第１実施形態の放送受信システム１００と同様である。
第４実施形態の放送受信システム１００ｃの構成を、図７に示す。
【００５０】
図７に示すように、第４実施形態の放送受信システム１００ｃは、情報通信装置１０ｃのＣＰＵ１ｃの視聴推奨番組情報作成部１３ｃと通知部１４ｃを除いて、第１実施形態の放送受信システム１００と同様の構成を有する。
第１実施形態の視聴推奨番組情報作成部１３は、同一の時間帯に所定の回数以上の視聴回数情報を有する番組が複数存在する場合には、所定の優先順位に従って視聴推奨番組を１つのみ決定していたが、本第４実施形態の視聴推奨番組情報作成部１３ｃは、所定の回数以上の視聴回数情報を有する番組を全て視聴推奨番組情報とする。ただし、ここで第１実施形態において説明した優先順位に従って、当該同一時間帯の複数の番組に順位を決定しておく。すなわち、図８に示すような視聴推奨番組データを作成する。
図８は、視聴推奨番組情報作成部１３ｃが作成する視聴推奨番組データの一例を示す図である。図８に示すように、本第４実施形態の視聴推奨番組データは、同一の時間帯に複数の視聴推奨番組情報と、それらの優先順位情報とを有する。図８中の「１：番組Ａ」は、その時簡帯の優先順位が１番目である視聴推奨番組Ａであることを意味し、「２：番組Ｂ」は優先順位がその時間帯において２番目の番組Ｂであることを意味する。
【００５１】
通知部１４ｃは、現在表示部６に視聴推奨番組が表示されていない場合は、視聴推奨番組の開始が所定の時間後に迫ったことを表示部６（或いは更に音声入出力部８）によって通知するが、この際、複数の視聴推奨番組が同一時間帯に存在する場合には、図９に示すように、複数の視聴推奨番組の開始が所定の時間後に迫ったことを示す通知を行う。
【００５２】
図９（ａ）は、同一時間帯に２つの視聴推奨番組が存在し、一度に通知を行う場合の一例である。図９（ａ）に示す１：には優先順位が高い方の番組が表示され、２：は優先順位が２番目の視聴推奨番組であることを意味する。また図９（ａ）に示すように操作部７によって選択されるボタン（インタフェース）、４５〜４７があり、ボタン４５が選択されると、ＴＶアプリケーション制御部１１は優先順位の高い視聴推奨番組に（１：のチャンネルに）チャンネルを切り替え、ボタン４６選択されると、ＴＶアプリケーション制御部１１は優先順位の低い視聴推奨番組に（２:のチャンネルに）チャンネルを切り替え、ボタン４７選択されると、ＴＶアプリケーション制御部１１はチャンネルを切り替えず現在のチャンネルを表示部６に表示させ続ける。
【００５３】
図９（ｂ）及び（ｃ）は、２つの視聴推奨番組の通知を順に行う場合に表示部６に表示される通知の一例を示す図である。まず図９（ｂ）に示す通知が表示部６に表示される。図９（ｂ）で通知される番組は、優先順位情報がより高い番組である。図９（ｂ）に示す通知は選択ボタン４８、４９を有し、ボタン４８が選択されるとＴＶアプリケーション制御部１１は通知された視聴推奨番組にチャンネルを切り替え、４９が選択されると、通知部１４ｃは図９（ｃ）に示す通知を表示部６に表示させる。図９（ｃ）に示す通知は、優先順位が図９（ｂ）で通知された番組よりも低い番組の通知である。図９（ｃ）に示す通知は、選択ボタン５０、５１を有し、ボタン５０が選択されるとＴＶアプリケーション制御部１１は通知された視聴推奨番組にチャンネルを切り替え、ボタン５１が選択されると、ＴＶアプリケーション制御部１１はチャンネルを切り替えず現在のチャンネルを表示部６に表示させ続ける。
【００５４】
以上説明したように、本第４実施形態の放送受信システム１００ｃによれば、視聴推奨番組情報作成部１３ｃは同一時間帯に複数の視聴推奨番組情報を作成し、通知部１４ｃは複数の視聴推奨番組の通知を行うので、視聴者の選択の幅が広がり、使い勝手が向上する。
【００５５】
なお、本第４実施形態では２つの視聴推奨番組が同一時間帯に存在する場合の通知について説明したが、３つ以上の視聴推奨番組が同一時間帯に存在する場合についても本発明は適用可能である。この場合、例えば、通知部１４ｃは、図９（ｂ）及び（ｃ）に示したような通知によって、その時間帯の全ての視聴推奨番組を優先順位情報に従って順番に通知するような構成にすればよい。また、同時に３つ以上の視聴推奨番組を通知し、各視聴番組に対応したボタンと「いいえ」ボタンとを表示させ、選択を行わせることも可能である。また、第４実施形態においては視聴推奨番組の開始通知についてのみ説明したが、図９（ｄ）に示すような視聴推奨番組放送中の通知を行うことも可能である。
【００５６】
＜第５実施形態＞
以下、本発明の第５実施形態の放送受信システム１００ｄについて説明する。
第５実施形態の放送受信システム１００ｄは、視聴推奨番組が表示部６に表示されている時でも、同一時間帯に他の視聴推奨番組がある場合には、その通知を行う、ということを除いて、第４実施形態の放送受信システム１００ｃと同様である。
第５実施形態の放送受信システム１００ｄの構成を、図７に示す。
【００５７】
図７に示すように、第５実施形態の放送受信システム１００ｄは、情報通信装置１０ｄのＣＰＵ１ｄの通知部１４ｄを除いて、第４実施形態の放送受信システム１００ｃと同様の構成を有する。
【００５８】
通知部１４ｄは、表示部６に既に視聴推奨番組が表示されている際に、他の視聴推奨番組の開始時間が所定の時間後に迫った場合には、他の視聴推奨番組の開始通知（すなわち第１実施形態の図５（ａ）に示したものと同様の通知）を表示部６に表示させる。
更に、通知部１４ｄは、表示部６に既に視聴推奨番組が表示されている際に、他の視聴推奨番組が放映中である場合には、他の視聴推奨番組の放送中であることの通知（すなわち第１実施形態の図５（ｂ）に示したものと同様の通知）を表示部６に表示させる。
【００５９】
以上説明したように、本第５実施形態の放送受信システム１００ｄによれば、視聴推奨番組が表示部６に表示されている場合でも通知部１４ｄが他の視聴推奨番組の開始或いは放送中であることを通知するので、同一時間帯に視聴者が視聴したい番組が複数あるような場合や、いつも見る番組の途中で他の番組の１コーナーのみを毎回チェックしているような場合にも通知が行われるので、使い勝手が向上する。
【００６０】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００６１】
上述した実施形態では単に視聴を行うための放送受信システムについて説明したが、本発明はこれには限定されず、例えば録画装置を更に有し、視聴推奨番組データに従って視聴推奨番組を録画するような構成にすることも可能である。
【００６２】
また、上述した実施形態においてはデジタルテレビ放送網２０からのデジタルテレビ放送を受信する放送受信システム１００について説明したが、本発明はこれには限定されない。すなわち、本発明の放送受信システム１００は、アナログテレビ放送のみを受信する放送受信システムに対しても適用可能である。
【図面の簡単な説明】
【００６３】
【図１】図１は、第１実施形態の放送受信システム１００及び第２実施形態の放送受信システム１００ａの構成を示すブロック図である。
【図２】図２は、放送受信システム１００の動作例を示すフローチャートである。
【図３】図３は、番組データの例を示した図である。
【図４】図４は、視聴推奨番組情報作成部１３が作成する視聴推奨番組データの一例を示す図である。
【図５】図５は、通知部１４が表示部６に表示させる通知の一例である。
【図６】図６は、第３実施形態の放送受信システム１００ｂの構成を示すブロック図である。
【図７】図７は、第４実施形態の放送受信システム１００ｃ及び第５実施形態の放送受信システム１００ｄの構成を示すブロック図である。
【図８】図８は、視聴推奨番組情報作成部１３ｃが作成する視聴推奨番組情報の一例を示す図である。
【図９】図９は、通知部１４ｃが表示部６に表示させる通知の一例である。
【符号の説明】
【００６４】
１００，１００ａ，１００ｂ，１００ｃ，１００ｄ…放送受信システム、１０，１０ａ，１０ｂ，１０ｃ，１０ｄ…情報通信装置、１，１ａ，１ｂ，１ｃ，１ｄ…ＣＰＵ、２…ＨＤＤ、３…メモリ、４…ＴＶチューナ、５…通信部、６…表示部、７…操作部、８…音声入出力部、９…バス、１１…ＴＶアプリケーション制御部、１２，１２ａ…視聴履歴情報作成部、１３，１３ａ，１３ｃ…視聴推奨番組情報作成部、１４，１４ａ，１４ｂ，１４ｃ，１４ｄ…通知部、１５…フィードバック部、２０…デジタルテレビ放送網、３０…インターネット通信網
【図１】
0004792602.tif 000002
【図２】
0004792602.tif 000003
【図３】
0004792602.tif 000004
【図４】
0004792602.tif 000005
【図５】
0004792602.tif 000006
【図６】
0004792602.tif 000007
【図７】
0004792602.tif 000008
【図８】
0004792602.tif 000009
【図９】
0004792602.tif 000010